(57)【特許請求の範囲】
【請求項１】
景品球払出装置から払い出されたパチンコ球を貯留する一つの球受皿のみをパチンコ機の前面枠の前面であって打球発射位置より下方に設け、前記球受皿の後壁に景品球排出樋の流下端と連なる連通口を開設し、前記球受皿の底壁に球抜き孔を開設すると共に該球受皿の内側壁に開設される切欠き窓から前記底壁と連なりかつ下面に突子を設けた案内板を張設し、また、前記前面枠の裏面側には、前記球受皿内のパチンコ球を前記打球発射位置へ揚送して供給する揚送装置を設け、前記揚送装置は、垂直且つ回転自在に立設され下端に従動歯車が固着されたスクリューによって前記案内板上を転流するパチンコ球を１個ずつ上方へ揚送する揚送樋と、モータ軸に前記従動歯車と噛合する駆動歯車が固着され前記スクリューを一定の角度ずつ回転駆動させる駆動モータと、前記揚送樋内を運ばれる前記パチンコ球を１個ずつ常に一定の間隔で前記打球発射位置へ供給する供給樋とからなり、前記従動歯車はその一部が前記案内板の下面に重合すると共にその上面の各歯毎に前記突子と衝突して案内板を振動させる隆起部が設けられたことを特徴とするパチンコ機。
【発明の詳細な説明】
【０００１】
【産業上の利用分野】
本発明は、パチンコ機本体の前面下部に一つの球受皿のみを設けた新規なパチンコ機に関するものである。
【０００２】
【従来の技術】
従来のパチンコ機は、パチンコ機本体の前面に前面枠が取着され、該前面枠の裏側に遊技盤が装着されている。また、前面枠に遊技盤の遊技部を覆うガラス枠及び打球発射部を覆う前板がそれぞれ開閉自在に取り付けられている。更に、前板前面には打球発射部へパチンコ球を供給するための打球供給皿が設けられ、また前記前面枠の下部には余剰球を貯留するための球貯留皿が設けられている。そして、通常上段の打球供給皿に打球を入れて遊技を行い、入賞球の発生により払い出される景品球の内、余剰球は下段の球貯留皿に貯留されるようになっている。
【０００３】
【発明が解決しようとする課題】
このように打球供給皿と球貯留皿とがそれぞれ二段に取付けられている従来のパチンコ機では、例えば遊技中に打球供給皿のパチンコ球がなくなる度に球貯留皿に有るパチンコ球を打球供給皿へ移し換えねばならず、また、遊技終了後には球貯留皿と共に打球供給皿に残るパチンコ球も球抜きせねばならず、いずれも面倒で手間が掛かるといった課題を有していた。
更に、この種の２つの球受皿を有するパチンコ機は固定化され且つ、常識化しており、近時斬新なデザインのパチンコ機の出現が望まれていた。
それ故に本発明の目的は、このような課題を解決すべくなされたもので、遊技における前記面倒な手間を無くすと共にデザイン的に斬新なパチンコ機を提供することにある。
【０００４】
【課題を解決するための手段】
かかる目的を達成するため、本発明のパチンコ機は、景品球払出装置から払い出されたパチンコ球を貯留する一つの球受皿のみをパチンコ機の前面枠の前面であって打球発射位置より下方に設け、前記球受皿の後壁に景品球排出樋の流下端と連なる連通口を開設し、前記球受皿の底壁に球抜き孔を開設すると共に該球受皿の内側壁に開設される切欠き窓から前記底壁と連なりかつ下面に突子を設けた案内板を張設し、また、前記前面枠の裏面側には、前記球受皿内のパチンコ球を前記打球発射位置へ揚送して供給する揚送装置を設け、前記揚送装置は、垂直且つ回転自在に立設され下端に従動歯車が固着されたスクリューによって前記案内板上を転流するパチンコ球を１個ずつ上方へ揚送する揚送樋と、モータ軸に前記従動歯車と噛合する駆動歯車が固着され前記スクリューを一定の角度ずつ回転駆動させる駆動モータと、前記揚送樋内を運ばれる前記パチンコ球を１個ずつ常に一定の間隔で前記打球発射位置へ供給する供給樋とからなり、前記従動歯車はその一部が前記案内板の下面に重合すると共にその上面の各歯毎に前記突子と衝突して案内板を振動させる隆起部が設けられた構成からなる。
【０００５】
【作用】
一つの球受皿のみを設けた本発明のパチンコ機では、球受皿に貯留されるパチンコ球はハンドルの始動と共に揚送装置により揚送され遊技盤の打球発射位置に供給される。そして、適宜発射手段によって遊技部へ打ち込まれる。この際、球受皿の皿部と揚送装置との間に設けられた案内板が振動されるので、案内板上面でパチンコ球が球ずまりを起すことなくスムーズに揚送装置へ送り込まれる。
また、入賞球が発生した場合、景品球払出装置から払い出されるパチンコ球は球受皿へ導かれて貯留される。
【０００６】
【実施例】
以下に本発明に係るパチンコ機の一実施例を図面と共に説明する。図１は本発明に係るパチンコ機の正面図であり、図において１はパチンコ機本体Ａの外間を囲う機枠、２は機枠１の前面に開閉自在に取着される前面枠で、その裏側に遊技盤３が固着されている。４は前面枠２に開閉自在に装着され、遊技盤３を覆うガラス枠である。遊技盤３の表面には遊技部３ａを囲うようガイドレール５が敷設され、下部にガイドレール５に連なる発射レール５ａが設けられている。６は発射レール５の始端側の遊技盤３面に固着されるソレノイドであり、軸７先端が打球発射位置８に臨むようになっている。前記遊技部３ａには図示を省略する複数の通常入賞口，始動入賞口，可変表示器及び大入賞口等が障害釘と共に配設される。
【０００７】
図２は本発明のパチンコ機の裏面図であり、遊技盤３の裏面に機構板９が開閉自在に設けられている。この機構板９には遊技盤３の裏面から一定間隔離して入賞空間を形成する板状部９ａを有し、その内側下方に前記各通常入賞口，始動入賞口，大入賞口等に入賞した入賞球を集合する入賞球集合樋１０を形成している。
【０００８】
また、板状部９ａの上部に景品球を貯留する景品球タンク１１が配設されている。景品球タンク１１の下方には誘導樋１２が形成されると共に、その流下端に景品球払出装置１３が配設される。更に景品球払出装置１３の下方に払い出された景品球をパチンコ機本体Ａの前面に導く景品球排出樋１４が形成されている。前記入賞球集合樋１０の流下端には入賞球を１個ずつ検出する入賞球検出器１５が設けられている。なお、１６は球抜樋である。
【０００９】
しかして、１７は前記前面枠２の下部に遊技盤３の打球発射位置８より下方に位置して装着され、パチンコ球を貯留する球受皿である。該球受皿１７は比較的横長の皿部１８を有しており、後壁に前記景品球排出樋１４の流下端と連なる連通口１９が開設されると共に、底壁２０には球抜き孔２１が開設されている。該球抜き孔２１はシャッター板２２で閉塞されており、球受皿１７の前面に設けられるレバー２３の操作によりシャッター板２２をスライドさせ、球抜き孔２１を開放することにより球抜きできるようになっている。
【００１０】
前面枠２の裏面側には図３に示すように球受皿１７内のパチンコ球を前記打球発射位置８へ揚送して供給する揚送装置２４が設けられている。このため、皿部１８の内側壁に切欠き窓２５を開設すると共に、該切欠き窓２５から底壁２０と連なり下方へ傾斜する案内板２６を張設している。２６ａは案内板２６の下面に設けた突子である。
【００１１】
前記揚送装置２４はスクリュー２７によってパチンコ球を上方へ揚送する揚送樋２８と、スクリュー２７を回転駆動させる駆動モータ２９と、揚送樋２８内を運ばれるパチンコ球を打球発射位置８へ供給する供給樋３０とから大略構成されている。
すなわち、支軸２７ａの周囲に羽根２７ｂを螺施状に巻回したスクリュー２７を揚送樋２８内に垂直且つ回転自在に立設する。揚送樋２８内のパチンコ球は１個ずつ縦に並び、羽根２７ｂによって支持されつつ上方へ揚送される。揚送樋２８の下端に前記案内板２６の先端部に対向させて流入口３１が開設され、上端には流出口３２が開設されている。そして、流出口３２に供給樋３０の一端が接続され、他端の排出口３３が打球発射位置８に臨むようにしている。
【００１２】
揚送樋２８の後側に駆動モータ２９が配置され、該駆動モータ２９の下面から突出するモータ軸３４と前記スクリュー２７の支軸２７ａ下端にはそれぞれ互いに噛合する駆動歯車３５と従動歯車３６が固着されている。また、従動歯車３６はその一部が前記案内板２６の下面に重合し、しかも、その上面の各歯毎に案内板２６の前記突子２６ａと衝突する隆起部３６ａが複数設けられている。これにより、従動歯車３６の回転に伴い各隆起部３６ｂが突子２６ａに衝突し、案内板２６を上下に振動させることとなり、案内板２６上のパチンコ球はそこで球ずまりを起すことなく常に１個ずつスムーズに揚送樋２８内へ送り込まれる。
【００１３】
３７は球受皿１７に設けられた灰皿部、３８は球受皿１７の右側に位置し前面枠２に装着されるハンドルである。
前記ソレノイド６と駆動モータ２９は電気的に制御され、遊技者がハンドル３８を握ることによりそれぞれ連動するようになっている。そして、駆動モータ２９は、そのモータ軸３４が一定の角度ずつ回転し、これによりスクリュー２７を同じく一定角度ずつ回転させ、揚送樋２８内のパチンコ球を順次上方へ揚送する。また、これらパチンコ球は１個ずつ常に一定の間隔で打球発射位置８へ供給されるように設定されている。更に、ソレノイド６もハンドル３８の回転角度により軸７の進退動する力の強弱が自在に調節されるようになっている。
【００１４】
一方、前面枠２の前面には、球受皿１７とガラス枠４との間に遊技に関するメッセージ等を表示する表示部３９が設けられると共に、その右隅には遊技者にとって有利となる大当り状態の回数を表示する回数表示部４０が設けられている。また、４１，４２は磁気カードによってパチンコ球を貸し出すために操作される返却ボタンと球貸しボタンであり、磁気カードは通常図示しない球貸機に挿入される。
【００１５】
本発明のパチンコ機は上記構成よりなり、球受皿１７に貯留されるパチンコ球は切欠き窓２５から案内板２６上を転流して揚送樋２８の流入口３１に達っする。
この状態で、ハンドル３８を回転させると前記駆動モータ２９の作動と共にスクリュー２７が所定の角度ずつ回転する。これにより案内板２６上のパチンコ球は振動を加えられながら揚送樋２８内に流入し、１個ずつスクリュー２７の羽根２７ｂに支持されつつ揚送される。そして、これら各パチンコ球は揚送樋２８上端の流出口３２から供給樋３０内に排出されると共に、供給樋３０の下端排出口３３から打球発射位置８に１個ずつ供給される。
【００１６】
打球発射位置８のパチンコ球はソレノイド６の軸７の進退動作によって発射され、遊技部３ａに打ち込まれる。この際例えば、通常入賞口等にパチンコ球が入賞すると、景品球払出装置１３から景品球が払い出され、この景品球は景品球排出樋１４を流下して連通孔１９を介して球受皿１７の皿部１８に導かれ、貯留されることとなる。
【００１７】
【発明の効果】
以上述べたように、本発明に係るパチンコ機は、景品球払出装置から払い出されたパチンコ球を貯留する一つの球受皿のみをパチンコ機の前面枠の前面であって打球発射位置より下方に設け、前記球受皿の後壁に景品球排出樋の流下端と連なる連通口を開設し、前記球受皿の底壁に球抜き孔を開設すると共に該球受皿の内側壁に開設される切欠き窓から前記底壁と連なる案内板を張設し、また、前記前面枠の裏面側には、前記案内板上を転流するパチンコ球を１個ずつスクリューによって上方へ揚送して１個ずつ常に一定の間隔で前記打球発射位置へ供給する揚送装置を設けた構成からなるので、従来の如く打球供給皿と球貯留皿をそれぞれ二段に設けたパチンコ機のように、遊技中に球貯留皿のパチンコ球を打球供給皿へ移し換えたり、遊技終了後に球貯留皿と共に打球供給皿に残るパチンコ球も球抜きするという面倒な手間が不要になる。
【００１８】
また、打球供給皿一個分のスペースが空くので、このスペースを表示や装飾などに利用でき遊技者へのサービス向上につながる。しかも、従来のように球受皿の連通口からピアノ線などを差し込んで行なわれる所謂不正行為がしにくくなる。更に、従来のパチンコ機に比べてデザインが極めて斬新となり、遊技者の目を楽しませることができる等の効果も有する。
【００１９】
更にまた、球受皿の皿部と揚送装置との間に設けた案内板を上下に振動させるようにしたので、皿部から流れ込み案内板上面に乗るパチンコ球は球ずまりを起すことはなく揚送樋内へ送り込まれる。これにより、打球発射位置へ常に安定したパチンコ球の供給が行なえる。
【図面の簡単な説明】
【図１】  本発明に係わるパチンコ機の斜視図。
【図２】  同上裏面図。
【図３】  要部を透視的に示す斜視図。
【符号の説明】
２        前面枠
８        打球発射位置
１３      景品球払出装置
１７      球受皿
２４      揚送装置
２６      案内板
２６ａ    突子
３５      駆動歯車
３６      従動歯車
３６ａ    隆起部
【図１】
0003944248.tif 000002
【図２】
0003944248.tif 000003
【図３】
0003944248.tif 000004